【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
ＩＰネットワークに接続され音声通話機能を有するＩＰ電話装置と、前記ＩＰ電話装置に関する情報を登録し前記ＩＰ電話装置からの要求に応じて当該登録情報を応答するサーバ装置と、を具備するＩＰ電話システムであって、発信側のＩＰ電話装置は、音声通話の指示を受けると呼制御処理により前記サーバ装置から取得した着信側のＩＰ電話装置の登録情報を用いて通話処理を行い、その後にファイル転送の指示を受けると前記呼制御処理により取得した着信側のＩＰ電話装置の登録情報を用いて着信側のＩＰ電話装置に対してファイルを転送することを特徴とするＩＰ電話システム。
【請求項２】
前記発信側のＩＰ電話装置は、着信側のＩＰ電話装置に対するファイル転送が終了した後に通話終了の指示を受けた場合には着信側のＩＰ電話装置との間で確立されたコネクションを切断することを特徴とする請求項１記載のＩＰ電話システム。
【請求項３】
前記発信側のＩＰ電話装置は、着信側のＩＰ電話装置に対するファイル転送が終了する前に通話終了の指示を受けた場合には当該ファイル転送が終了するまで着信側のＩＰ電話装置との間で確立されたコネクションを維持することを特徴とする請求項１記載のＩＰ電話システム。
【請求項４】
前記発信側のＩＰ電話装置は、前記着信側のＩＰ電話装置に対し、まとめて送信されるデータパケットの数量を指定する送信制御情報をファイル転送を開始する前に送信し、ファイル転送時には前記データパケットの数量に到達するまでまとめてデータを送信することを特徴とする請求項１記載のＩＰ電話システム。
【請求項５】
ＩＰ電話装置に関する情報を登録しＩＰ電話装置からの要求に応じて当該登録情報を応答するサーバ装置と接続するＩＰ電話装置であって、ＩＰネットワーク上の他のＩＰ電話装置と音声通話を行うための呼制御処理により前記サーバ装置から取得した他のＩＰ電話装置の登録情報を用いて通話処理を行うＩＰ電話制御部と、前記ＩＰ電話制御部による呼制御処理により取得した他のＩＰ電話装置の登録情報を用いてファイルを当該他のＩＰ電話装置に転送するファイル転送部と、を具備することを特徴とするＩＰ電話装置。
【請求項６】
前記ＩＰ電話制御部は、前記ファイル転送部によるファイル転送が終了した後に通話終了の指示を受けた場合には前記他のＩＰ電話装置との間で確立されたコネクションを切断することを特徴とする請求項５記載のＩＰ電話装置。
【請求項７】
前記ＩＰ電話制御部は、前記ファイル転送部によるファイル転送が終了する前に通話終了の指示を受けた場合においては当該ファイル転送が終了するまで前記他のＩＰ電話装置との間で確立されたコネクションを維持することを特徴とする請求項５記載のＩＰ電話装置。
【請求項８】
前記ＩＰ電話制御部は、前記他のＩＰ電話装置に対し、まとめて送信されるデータパケットの数量を指定する送信制御情報をファイル転送を開始する前に送信し、ファイル転送時には前記データパケットの数量に到達するまでまとめてデータを送信することを特徴とする請求項５記載のＩＰ電話装置。
【請求項９】
ＩＰ電話装置に関する情報を登録しＩＰ電話装置からの要求に応じて当該登録情報を応答するサーバ装置と接続するＩＰ電話装置であって、呼制御処理により前記サーバ装置から取得した他のＩＰ電話装置の登録情報を用いてＩＰネットワーク上の他のＩＰ電話装置と通話処理を行い音声通話中にファイル転送の指示を受けるとファイル転送終了まで音声パケットの送受信を停止するＩＰ電話制御部と、前記ＩＰ電話制御部による呼制御処理により取得した他のＩＰ電話装置の登録情報を用いてファイルを当該他のＩＰ電話装置に転送するファイル転送部と、を具備することを特徴とするＩＰ電話装置。
【請求項１０】
ＩＰネットワーク上の他のＩＰ電話装置と音声通話を行うための呼制御処理により取得した他のＩＰ電話装置の登録情報を用いて通話処理を行い、ファイル転送の指示を受けると前記呼制御処理により取得した前記他のＩＰ電話装置の登録情報を用いてファイルを当該他のＩＰ電話装置に転送することを特徴とするファイル転送方法。
【請求項１１】
前記他のＩＰ電話装置に対するファイル転送を終了した後に通話終了の指示を受けた場合には前記他のＩＰ電話装置との間で確立されたコネクションを切断することを特徴とする請求項１０記載のファイル転送方法。
【請求項１２】
前記他のＩＰ電話装置に対するファイル転送が終了する前に通話終了の指示を受けた場合には当該ファイル転送が終了するまで前記他のＩＰ電話装置との間で確立されたコネクションを維持することを特徴とする請求項１０記載のファイル転送方法。
【請求項１３】
ファイルを前記他のＩＰ電話装置に転送する際、ファイル転送終了まで音声パケットの送受信を停止することを特徴とする請求項１０記載のファイル転送方法。
【請求項１４】
ファイルを前記他のＩＰ電話装置に転送する前に、前記他のＩＰ電話装置に対し、まとめて送信されるデータパケットの数量を指定する送信制御情報を送信し、ファイル転送時には前記データパケットの数量に到達するまでまとめてデータを送信することを特徴とする請求項１０記載のファイル転送方法。
【手続補正２】
【補正対象書類名】明細書
【補正対象項目名】０００７
【補正方法】変更
【補正の内容】
【０００７】
本発明は、ＩＰネットワークに接続され音声通話機能を有するＩＰ電話装置と、前記ＩＰ電話装置に関する情報を登録し前記ＩＰ電話装置からの要求に応じて当該登録情報を応答するサーバ装置と、を具備するＩＰ電話システムであって、発信側のＩＰ電話装置は、音声通話の指示を受けると呼制御処理により前記サーバ装置から取得した着信側のＩＰ電話装置の登録情報を用いて通話処理を行い、その後にファイル転送の指示を受けると前記呼制御処理により取得した着信側のＩＰ電話装置の登録情報を用いて着信側のＩＰ電話装置に対してファイルを転送するようにしたものである。
【手続補正３】
【補正対象書類名】明細書
【補正対象項目名】０００９
【補正方法】変更
【補正の内容】
【０００９】
本発明の第１の態様に係るＩＰ電話システムは、ＩＰネットワークに接続され音声通話機能を有するＩＰ電話装置と、前記ＩＰ電話装置に関する情報を登録し前記ＩＰ電話装置からの要求に応じて当該登録情報を応答するサーバ装置と、を具備するＩＰ電話システムであって、発信側のＩＰ電話装置は、音声通話の指示を受けると呼制御処理により前記サーバ装置から取得した着信側のＩＰ電話装置の登録情報を用いて通話処理を行い、その後にファイル転送の指示を受けると前記呼制御処理により取得した着信側のＩＰ電話装置の登録情報を用いて着信側のＩＰ電話装置に対してファイルを転送する構成を採る。
【手続補正４】
【補正対象書類名】明細書
【補正対象項目名】００１５
【補正方法】変更
【補正の内容】
【００１５】
本発明の第４の態様は、第１の態様に係るＩＰ電話システムにおいて、前記発信側のＩＰ電話装置は、前記着信側のＩＰ電話装置に対し、まとめて送信されるデータパケットの数量を指定する送信制御情報をファイル転送を開始する前に送信し、ファイル転送時には前記データパケットの数量に到達するまでまとめてデータを送信する構成を採る。
この構成によれば、ファイル転送において複数のデータパケットをまとめて送信することができる。
本発明の第５の態様に係るＩＰ電話装置は、ＩＰ電話装置に関する情報を登録しＩＰ電話装置からの要求に応じて当該登録情報を応答するサーバ装置と接続するＩＰ電話装置であって、ＩＰネットワーク上の他のＩＰ電話装置と音声通話を行うための呼制御処理により前記サーバ装置から取得した他のＩＰ電話装置の登録情報を用いて通話処理を行うＩＰ電話制御部と、前記ＩＰ電話制御部による呼制御処理により取得した他のＩＰ電話装置の登録情報を用いてファイルを当該他のＩＰ電話装置に転送するファイル転送部と、を具備する構成を採る。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
本発明の第６の態様は、第５の態様に係るＩＰ電話装置において、前記ＩＰ電話制御部は、前記ファイル転送部によるファイル転送が終了した後に通話終了の指示を受けた場合には前記他のＩＰ電話装置との間で確立されたコネクションを切断する構成を採る。
【手続補正８】
【補正対象書類名】明細書
【補正対象項目名】００２１
【補正方法】変更
【補正の内容】
【００２１】
本発明の第７の態様は、第５の態様に係るＩＰ電話装置において、前記ＩＰ電話制御部は、前記ファイル転送部によるファイル転送が終了する前に通話終了の指示を受けた場合においては当該ファイル転送が終了するまで前記他のＩＰ電話装置との間で確立されたコネクションを維持する構成を採る。
【手続補正９】
【補正対象書類名】明細書
【補正対象項目名】００２３
【補正方法】変更
【補正の内容】
【００２３】
本発明の第８の態様は、第５の態様に係るＩＰ電話装置において、前記ＩＰ電話制御部は、前記他のＩＰ電話装置に対し、まとめて送信されるデータパケットの数量を指定する送信制御情報をファイル転送を開始する前に送信し、ファイル転送時には前記データパケットの数量に到達するまでまとめてデータを送信する構成を採る。
この構成によれば、ファイル転送において複数のデータパケットをまとめて送信することができる。
本発明の第９の態様に係るＩＰ電話装置は、ＩＰ電話装置に関する情報を登録しＩＰ電話装置からの要求に応じて当該登録情報を応答するサーバ装置と接続するＩＰ電話装置であって、呼制御処理により前記サーバ装置から取得した他のＩＰ電話装置の登録情報を用いてＩＰネットワーク上の他のＩＰ電話装置と通話処理を行い音声通話中にファイル転送の指示を受けるとファイル転送終了まで音声パケットの送受信を停止するＩＰ電話制御部と、前記ＩＰ電話制御部による呼制御処理により取得した他のＩＰ電話装置の登録情報を用いてファイルを当該他のＩＰ電話装置に転送するファイル転送部と、を具備する構成を採る。
【手続補正１０】
【補正対象書類名】明細書
【補正対象項目名】００２５
【補正方法】変更
【補正の内容】
【００２５】
本発明の第１０の態様に係るファイル転送方法は、ＩＰネットワーク上の他のＩＰ電話装置と音声通話を行うための呼制御処理により取得した他のＩＰ電話装置の登録情報を用いて通話処理を行い、ファイル転送の指示を受けると前記呼制御処理により取得した前記他のＩＰ電話装置の登録情報を用いてファイルを当該他のＩＰ電話装置に転送するものである。
【手続補正１１】
【補正対象書類名】明細書
【補正対象項目名】００２６
【補正方法】変更
【補正の内容】
【００２６】
本発明の第１１の態様は、第１０の態様に係るファイル転送方法において、前記他のＩＰ電話装置に対するファイル転送を終了した後に通話終了の指示を受けた場合には前記他のＩＰ電話装置との間で確立されたコネクションを切断するものである。
【手続補正１２】
【補正対象書類名】明細書
【補正対象項目名】００２７
【補正方法】変更
【補正の内容】
【００２７】
本発明の第１２の態様は、第１０の態様に係るファイル転送方法において、前記他のＩＰ電話装置に対するファイル転送が終了する前に通話終了の指示を受けた場合には当該ファイル転送が終了するまで前記他のＩＰ電話装置との間で確立されたコネクションを維持するものである。
【手続補正１３】
【補正対象書類名】明細書
【補正対象項目名】００２８
【補正方法】変更
【補正の内容】
【００２８】
本発明の第１３の態様は、第１０の態様に係るファイル転送方法において、ファイルを前記他のＩＰ電話装置に転送する際、ファイル転送終了まで音声パケットの送受信を停止するものである。
本発明の第１４の態様は、第１０の態様に係るファイル転送方法において、ファイルを前記他のＩＰ電話装置に転送する前に、前記他のＩＰ電話装置に対し、まとめて送信されるデータパケットの数量を指定する送信制御情報を送信し、ファイル転送時には前記データパケットの数量に到達するまでまとめてデータを送信するものである。